(57)【要約】【課題】電子装置において、主電源をオフにしても警報情報を保持するためには、二次電池等を使用して警報情報を保持するか、警報情報の発生の都度ＥＥＰＲＯＭに書き込む必要があり、二次電池の寿命やＥＥＰＲＯＭの書換寿命により、その交換の保守作業が必要であった。【解決手段】主電源オン時に電荷を蓄積し、主電源オフ時に電荷を放出して電子装置内各部に電源を供給するコンデンサ６と、コンデンサ６の電荷の蓄積及び放出を制御し、電子装置に関する警報情報を収集するＣＰＵ８と、警報情報を保存するＲＡＭ９と、ＲＡＭ９から転送される警報情報を保存する不揮発生メモリ１０とを有し、主電源オフ時にはコンデンサ６からの電源を利用してＲＡＭ９に保存していた警報情報を不揮発生メモリ１０に転送して保持させるようにした。【選択図】図１
2007207000.tif 000002
【特許請求の範囲】
【請求項１】
主電源オン時に電荷を蓄積し、主電源オフ時に前記電荷を放出して電子装置内各部に電源を供給するコンデンサと、前記コンデンサの電荷の蓄積及び放出を制御し、電子装置に関する各種情報を収集するＣＰＵと、前記各種情報を保存するＲＡＭと、前記ＲＡＭから転送される前記各種情報を保存する不揮発生メモリとを有し、
主電源オフ時には前記コンデンサからの電源を利用して前記ＲＡＭに保存していた前記各種情報を前記不揮発生メモリに転送して保持させることを特徴とする情報保持回路。
【請求項２】
前記各種情報が電子装置内警報情報であることを特徴とする請求項１記載の情報保持回路。
【請求項３】
前記各種情報が電子装置の設定情報であることを特徴とする請求項１記載の情報保持回路。
【発明の詳細な説明】
【技術分野】
【０００１】
本発明は、電子装置における警報情報等の各種情報を収集し、保存する情報保持回路に関するものである。
【背景技術】
【０００２】
従来、ＣＰＵを搭載した一般的な電子装置においては、主電源をオフにした際、それまでに発生した電源断等の警報情報を保持するためには、二次電池等を使用して電子装置内に警報情報を保持する必要があった。
もしくは電子装置の内部に不揮発生メモリ（ＥＥＰＲＯＭ等）を配置し、主電源がオンの状態の間に、警報発生の都度、警報情報をＥＥＰＲＯＭに書き込む必要があった。
なお、電源断の警報情報を保持するのではなく、警報伝送回路に送出してしまう警報送出回路として二次電池又はコンデンサを電源とするものもある（特許文献１参照）。
【特許文献１】特開平０５−０２８３７８号公報
【発明の開示】
【発明が解決しようとする課題】
【０００３】
しかしながら、従来の二次電池を使用する場合には、主電源がオンの際に二次電池を充電する必要があり、また、主電源がオン／オフを繰り返す度に、二次電池が充放電を繰り返すため、二次電池の寿命が短かくなり、寿命が来る度に二次電池を交換する必要があった。
ＥＥＰＲＯＭを使用し、警報の発生の都度書き込む場合は、ＥＥＰＲＯＭの書換回数が有限であることから、ＥＥＰＲＯＭの書換回数の限度を越える度にＥＥＰＲＯＭを交換する必要があった。
【課題を解決するための手段】
【０００４】
上記した課題を解決するため、本発明は、主電源オン時に電荷を蓄積し、主電源オフ時に電荷を放出して電子装置内各部に電源を供給するコンデンサと、コンデンサの電荷の蓄積及び放出を制御し、電子装置に関する各種情報を収集するＣＰＵと、各種情報を保存するＲＡＭと、ＲＡＭから転送される各種情報を保存する不揮発生メモリとを有し、主電源オフ時にはコンデンサからの電源を利用してＲＡＭに保存していた各種情報を不揮発生メモリに転送して保持させるようにしたものである。
【発明の効果】
【０００５】
本発明は、電子装置の内部にコンデンサを搭載することにより、二次電池を持つ必要がなく、また、各種情報をＲＡＭに保存し、主電源オフ時にコンデンサからの電源を利用してＲＡＭに保存していた各種情報を不揮発生メモリに転送して保持させるので、１年中稼動する電子装置においては、主電源がオフされるのは故障時及び移設時であり、また、毎日主電源のオン／オフを実施する装置であっても、通常のＥＥＰＲＯＭでは２０年以上使用できることになる。
よって、従来必要としていた二次電池の交換や、ＥＥＰＲＯＭの交換の保守作業を不要にすることができる。
【発明を実施するための最良の形態】
【０００６】
本発明は、ＣＰＵを搭載した電子装置において、主電源オン時に電荷を蓄積し、主電源オフ時にその蓄積した電荷を放出して電子装置内各部に電源を供給するコンデンサと、コンデンサの電荷の蓄積及び放出を制御し、電子装置に関する各種情報例えば警報情報を収集するＣＰＵと、その警報情報を保存するＲＡＭと、ＲＡＭから転送される警報情報を保存する不揮発生メモリ例えばＥＥＰＲＯＭとを備え、主電源オフ時にはコンデンサからの電源を利用してＲＡＭに保存していた警報情報をＥＥＰＲＯＭに転送して保持させることにより、ＥＥＰＲＯＭへの書込回数を減少させて寿命を延ばし、ＥＥＰＲＯＭの交換を不要にすることを実現した。
【実施例１】
【０００７】
図１は本発明の実施例１を示すブロック図である。
図１では、ＣＰＵを備えた一般的な電子装置の情報保持回路の部分を示しており、電子装置内各部は省略している。
電子装置の主電源Ｖｍはスイッチ１に接続され、スイッチ１は装置内部のＡＣ／ＤＣ又はＤＣ／ＤＣ変換器５に接続されている。ＡＣ／ＤＣ又はＤＣ／ＤＣ変換器５は内部ＤＣ電源Ｖｄｃを生成して出力する。
内部ＤＣ電源Ｖｄｃはスイッチ２及びスイッチ４に接続される。スイッチ２は大容量コンデンサ６に接続され、更にコンデンサ６はスイッチ３に接続される。スイッチ４はスイッチ３及び電圧監視回路７に接続され、更に装置内各部へ電源Ｖｉｎを供給している。
【０００８】
スイッチ１はオペレータにより手動でオン・オフされる。スイッチ２、スイッチ３、スイッチ４は、ＣＰＵ８によりそれぞれ個別に制御されてオン・オフする。
コンデンサ６は主電源Ｖｍのオフ時に、装置内各部を動作させるのに必要十分な電荷を蓄積できるだけの容量を有している。
電圧監視回路７は装置内への供給電源Ｖｉｎの電圧レベルを監視し、一定レベル以下になると、割込信号を生成し、ＣＰＵ８に対し割込み入力する。
ＣＰＵ８はスイッチ２〜４を制御する機能と、装置内の各種情報を収集する機能を有し、ＲＡＭ９と不揮発生メモリであるＥＥＰＲＯＭ１０がＣＰＵバス１１上に接続されている。
【０００９】
図２は本発明の実施例１の動作タイムチャートである。
図１，２を参照して動作を説明する。
スイッチ１がオフからオンへ遷移して主電源Ｖｍがオンされると、ＡＣ／ＤＣ又はＤＣ／ＤＣ変換器５からの内部ＤＣ電源Ｖｄｃの出力が開始される。
その際、スイッチ２はオフ、スイッチ３はオフ、スイッチ４はオンの状態となっている。
【００１０】
スイッチ４を介して装置内各部へ電源Ｖｉｎが供給されると、ＣＰＵ８が起動する。ＣＰＵ８は電子装置に必要な初期設定等を実施した後、スイッチ２をオンにする。スイッチ２がオンすることによりコンデンサ６に電源Ｖｄｃが供給され、電荷が蓄積される。
その後、ＣＰＵ８は装置内部から各種情報を収集する。
【００１１】
各種情報には電子装置内警報情報及び初期設定等の設定情報が含まれる。
電子装置内警報情報の例としては、主電源の断警報、装置内で使用しているＬＳＩ等の故障警報、クロックの断警報、メモリのパリティエラー警報、外部から装置に対しての矛盾した設定等による警報、通信線の出力レベル低下警報、受信線の入力断警報、ソフトウェア上のウォッチドッグタイマエラー警報等が想定される。
【００１２】
以下、各種情報の例として警報情報で説明すると、
収集された警報情報は、収集の都度、ＣＰＵバス１１を経由してＲＡＭ９上の一定領域に保存される。ＲＡＭ９はその容量が限られているため、警報情報が一定領域の容量分を超えた場合は、最も古い情報から削除し、最新の情報をその一定領域に保存している。
【００１３】
スイッチ１がオフにされて主電源Ｖｍがオフされると、内部ＤＣ電源Ｖｄｃが徐々に電圧降下し、電圧監視回路７で電圧が一定レベル以下になったことを検出すると、ＣＰＵ８に対し割込信号を発生させて割込み入力する。
ＣＰＵ８は割込信号を受信した直後に、スイッチ２をオフ、スイッチ３をオン、スイッチ４をオフにする。その結果、コンデンサ６に蓄積された電荷がスイッチ３を介して供給され、再度、電源Ｖｉｎがコンデンサ６に蓄積された所定時間分だけ装置内各部へ供給される。
【００１４】
コンデンサ６からの電源によって装置内各部が動作している間に、ＣＰＵ８はＲＡＭ９に保存されていた警報情報をＲＡＭ９からＥＥＰＲＯＭ１０へ転送する。
この場合、ＲＡＭ９の一定領域に保存されていた警報情報をＥＥＰＲＯＭ１０の一つのアドレスにアクセスして書き込むので、１回の主電源オフに対し、１回の動作となる。
コンデンサ６の電荷が放出されて消費され、装置が完全に電源オフ状態になる際、スイッチ３はオフ、スイッチ４はオンの初期状態に戻る。
【００１５】
これにより、ＣＰＵ８で収集され、ＲＡＭ９に保存されていた警報情報はＥＥＰＲＯＭ１０内に保存され、安定的に保持される。
次回の主電源Ｖｍオン時には、ＥＥＰＲＯＭ１０内の警報情報のデータを読み出すことにより、前回主電源Ｖｍが入力されていた時の警報状況を把握することが可能となる。
【００１６】
なお、各種情報の例として警報情報で説明してきたが、電子装置の初期設定等の設定情報を保存する場合も同様に適用することができる。
この場合には次回の主電源オン時に、同じ装置設定で起動できることは勿論である。
【００１７】
以上のように、実施例１によれば、電子装置の内部に必要十分な容量のコンデンサを用意することによって、二次電池を装置内に持つ必要がなくなる。
また、通常のＥＥＰＲＯＭの書換回数は１０４〜１０５とされているため、仮に１日１回の主電源のオン／オフを実施したとしても、１年で３６５回であり、２０年以上同じＥＥＰＲＯＭを使用できることになり、一般の電子装置の寿命を十分に満足するものである。
従って、二次電池の交換や、ＥＥＰＲＯＭの交換の作業は全く不要となり、各種情報の安定した保持が可能となる。
【図面の簡単な説明】
【００１８】
【図１】本発明の実施例１のブロック図である。
【図２】実施例１の動作タイムチャートである。
【符号の説明】
【００１９】
１〜４                  スイッチ
５                      ＡＣ／ＤＣ又はＤＣ／ＤＣ変換器
６                      コンデンサ
７                      電圧監視回路
８                      ＣＰＵ
９                      ＲＡＭ
１０                    ＥＥＰＲＯＭ
１１                    ＣＰＵバス
【図１】
2007207000.tif 000003
【図２】
2007207000.tif 000004